(57)【要約】【課題】本発明は携帯型装置に簡単に取り付けることのできる補助記憶装置を提供する。【解決手段】携帯型機器に外部接続される外部補助記憶装置において、上記携帯型機器に接続されることによって、外部に保存すべきデータの出力を上記携帯型機器に要求する指令を発生する指令発生手段２０３と、上記携帯型機器から出力されるデータを受信する受信手段２０３と、受信した上記データを保存する不揮発性記憶手段２０５と、を備える。それにより、携帯型機器に外部補助記憶装置を装着すると携帯型機器から外部補助記憶装置に自動的にデータが記録される。【選択図】　図３
2004127183.tif 000002
【特許請求の範囲】
【請求項１】
携帯型機器に外部接続される外部補助記憶装置であって、
前記携帯型機器に接続されることによって外部に保存すべきデータの出力を前記携帯型機器に要求する指令を発生する指令発生手段と、
前記携帯型機器から出力されるデータを受信する受信手段と、
受信した前記データを保存する不揮発性記憶手段と、
を備える外部補助記憶装置。
【請求項２】
携帯型機器に外部接続される外部補助記憶装置であって、
前記携帯型機器に接続されることによって外部に保存すべきデータの出力を前記携帯型機器に要求する指令を発生する指令発生手段と、
前記携帯型機器から出力されるデータを受信する受信手段と、
暗号化及び復号化のための符号を記憶する暗号鍵記憶手段と、
前記符号を使用して受信データを暗号化する暗号化手段と、
暗号化した前記データを保存する不揮発性記憶手段と、
前記符号を使用して保存した前記暗号化したデータを復号化する復号化手段と、
を備える外部補助記憶装置。
【請求項３】
携帯型機器に外部接続される外部補助記憶装置であって、
前記携帯型機器に接続されることによって、外部に保存すべきデータの出力を前記携帯型機器に要求する指令を発生する指令発生手段と、
前記携帯型機器から出力されるデータを受信する受信手段と、
暗号化のための符号を記憶する暗号鍵記憶手段と、
前記符号を使用して受信データを暗号化する暗号化手段と、
暗号化した前記データを保存する不揮発性記憶手段と、
を備える外部補助記憶装置。
【請求項４】
携帯型機器に外部接続されてデータを取得する外部補助記憶装置であって、
暗号化したデータを保存する不揮発性記憶手段と
復号化のための符号を記憶する暗号鍵記憶手段と、
接続された情報処理機器からの要求に応じて前記暗号化したデータを読み出し、前記符号を使用して暗号データを復号化する復号化手段と、
復号化したデータを前記情報処理機器に出力する出力手段と、
を備える外部補助記憶装置。
【請求項５】
前記不揮発性記憶手段は、外部補助記憶装置から分離可能になされている請求項２乃至４のいずれかに記載の外部補助記憶装置。
【請求項６】
前記携帯型機器は携帯電話機であり、
前記外部補助記憶装置は前記携帯電話機の外部接続端子に接続される、請求項１乃至５のいずれかに記載の外部補助記憶装置。
【請求項７】
前記保存すべきデータは画像データである請求項１乃至６のいずれかに記載の外部補助記憶装置。
【請求項８】
前記情報処理機器は印刷装置である請求項４記載の外部補助記憶装置。
【請求項９】
請求項８記載の外部補助記憶装置に接続される印刷装置であって、前記復号化したデータを印刷出力した後は印刷装置内の該復号化データを消去する印刷装置。
【請求項１０】
前記不揮発性記憶手段は、ＳＤメモリ、メモリスティック、ＩＣカードを含む請求項５記載の外部補助記憶装置。
【発明の詳細な説明】
【０００１】
【発明の属する技術分野】
本発明は携帯型通信装置の補助装置に関し、特に、携帯型通信装置のデータを保存する機能を持つ外部補助記憶装置に関する。
【０００２】
【従来の技術】
近時、携帯型通信装置である携帯電話機にはインターネット接続機能が付与され、会話（通話）のみならず、電子メールなどのデジタルデータの受け渡しを可能としたものが提供されている。また、携帯電話機にカメラを内蔵し、撮影データを保存したり、撮影データを相手の携帯電話機に転送したできるようにして楽しめるようにしたものも提供されている。更に、特開平１１−２１３１１１号公報には、携帯型通信装置にＩＣカードを組み込むようにしたものが提案されている。
【０００３】
【特許文献１】
特開平１１−２１３１１１号公報
【０００４】
【発明が解決しようとする課題】
しかしながら、携帯電話機は携帯等の目的のために小型軽量にする必要があり、記憶装置としては小形であるＩＣメモリを使用している。ＩＣメモリは基板に直接取り付けられ、あるいはシステムＩＣに機能として組み込まれるために特定の記憶容量に限られ、後でＩＣメモリを増設することができない。このため、携帯電話機のカメラによる撮影枚数やデータ保存量は限られ、大量の撮影データを保存するには向かない。
【０００５】
この点、上記特開平１１−２１３１１１号公報記載の携帯型通信装置のように携帯型電話機に予めＩＣカードを組み込めるようにすると、外部取付のＩＣカードによって全体の記憶容量を増加することが可能となるが、電話機自体のコストが増加し、このような機能の必要のない人には不具合である。また、利用者はこのタイプの携帯型電話機に買い換える必要が生じる。
【０００６】
また、利用者は撮影した画像データを相手に送るほか、プリントショップや写真現像所（ＤＰＥ）にオンラインで送ってこれを写真としてプリントアウトすることが可能であるが、画像データはテキストデータに比べてデータ量が多い。電話料金がデータのパケット量に応じて課金されるため、多枚数の写真（画像データ）を送信するとプリント代の他に多額の通信費用が生ずる。
【０００７】
また、撮影した画像データは一般的にプライベートなものであるが、インターネットを介してデータを送信した場合には通信経路におけるその秘密性の確保が難しい。また、プリントショップ等の印刷出力端末には送信した画像データが残ることになり、データの秘密を確保する上で好ましくない。
【０００８】
よって、本発明は携帯型装置に簡単に取り付けることのできる補助記憶装置を提供することを目的とする。
【０００９】
また、本発明は携帯型電話機の画像データを外部に保存することのできる補助記憶装置を提供することを目的とする。
【００１０】
また、本発明は携帯型電話機の画像データの秘密性を保って保存することのできる補助記憶装置を提供することを目的とする。
【００１１】
また、本発明はこのような補助記憶装置から画像データを得てプリントアウトをする印刷装置における個人データの秘密性を確保するようにした印刷装置を提供することを目的とする。
【００１２】
【課題を解決するための手段】
上記目的を達成するため本発明の外部補助記憶装置は、携帯型機器に外部接続される外部補助記憶装置において、上携帯型機器に接続されることによって、外部に保存すべきデータの出力を上携帯型機器に要求する指令を発生する指令発生手段と、上携帯型機器から出力されるデータを受信する受信手段と、受信した上記データを保存する不揮発性記憶手段と、を備える。
【００１３】
かかる構成とすることによって、携帯型機器に外部補助記憶装置を装着すると自動的に携帯型機器の内部データを自動的に外部補助記憶装置に取り込むことが可能となる。
【００１４】
また、本発明の外部補助記憶装置は、携帯型機器に外部接続される外部補助記憶装置において、上記携帯型機器に接続されることによって、外部に保存すべきデータの出力を上記携帯型機器に要求する指令を発生する指令発生手段と、上記携帯型機器から出力されるデータを受信する受信手段と、暗号化及び復号化のための符号を記憶する暗号鍵記憶手段と、上記符号を使用して受信データを暗号化する暗号化手段と、暗号化した上記データを保存する不揮発性記憶手段と、上記符号を使用して保存した上記暗号化したデータを復号化する復号化手段と、を備える。
【００１５】
かかる構成とすることによって携帯型機器の内部データを暗号化して外部補助記憶装置の不揮発性記憶手段（例えば、ＥＥＰＲＯＭ）に保存するので不揮発性記憶手段が取り外されたり、差替えられたりする場合に保存データの秘密性を確保することが可能となる。
【００１６】
また、本発明の外部補助記憶装置は、携帯型機器に外部接続される外部補助記憶装置において、上記携帯型機器に接続されることによって、外部に保存すべきデータの出力を上記携帯型機器に要求する指令を発生する指令発生手段と、上記携帯型機器から出力されるデータを受信する受信手段と、暗号化のための符号を記憶する暗号鍵記憶手段と、上記符号を使用して受信データを暗号化する暗号化手段と、暗号化した上記データを保存する不揮発性記憶手段と、を備える。
【００１７】
かかる構成とすることによって携帯型機器の内部データを暗号化して外部補助記憶装置の不揮発性記憶手段に保存するので不揮発性記憶手段が取り外されたり、差替えられたりする場合に保存データの秘密性を確保することが可能となる。
【００１８】
また、本発明の外部補助記憶装置は、携帯型機器に外部接続されてデータを取得する外部補助記憶装置において、暗号化したデータを保存する不揮発性記憶手段と、復号化のための符号を記憶する暗号鍵記憶手段と、接続された情報処理機器からの要求に応じて上記暗号化したデータを読み出し、上記符号を使用して暗号データを復号化する手段と、復号化したデータを上記情報処理機器に出力する出力手段と、を備える。
【００１９】
かかる構成とすることによって外部補助記憶装置の不揮発性記憶手段に暗号化して保存されたデータを読み出し、これを復号化するので揮発性記憶手段が取り外されたり、差替えられたりする場合に保存データの秘密性を確保することが可能となる。
【００２０】
好ましくは、上記不揮発性記憶手段は、外部補助記憶装置から分離可能になされている。それにより、複数の不揮発性記憶手段を使用して多数のデータを保存することが可能となる。
【００２１】
好ましくは、上記携帯型機器は携帯電話機であり、上記外部補助記憶装置は上記携帯電話機の外部接続端子に接続される。
【００２２】
好ましくは、上記保存すべきデータは画像データである。
【００２３】
好ましくは、上記情報処理機器は印刷装置である。
【００２４】
また、本発明の印刷装置は、上述した外部補助記憶装置に接続される印刷装置であり、上記復号化したデータを印刷出力した後は該復号化データを消去する。
【００２５】
好ましくは、上記不揮発性記憶手段は、ＳＤメモリ、メモリスティック（ソニー（株）の登録商標）、ＩＣカードを含む。これらの物は所要の記憶容量のものを入手容易である。
【００２６】
【発明の実施の形態】
以下、本発明の実施の形態について図面を参照しつつ説明する。
【００２７】
図１は、携帯型装置としての携帯電話機１０に外部補助記憶装置２０を取り付けた例を示している。携帯電話機１０はその背面側（図示せず）にカメラを備えており、携帯電話機１０の利用者は適宜に被写体を撮影することができる。携帯電話機１０の筐体には、アンテナ１０１、メッセージや画像を表示する表示器１０２、入力操作を行うスイッチ群からなる操作キーボード１０３、受話器となるスピーカ１０４、送話器となるマイク１０５等が設けられている。操作キーボード１０３には、数字キー、リダイヤルキー、電源キー、ファンクションキーなどが含まれている。携帯電話機１０の下端部には内部電池の充電を行うための多目的の外部接続コネクタが設けられている。この外部接続コネクタを介して外部補助記憶装置２０が着脱自在に接続される。
【００２８】
外部補助記憶装置２０は、例えば、手のひらサイズの大きさであり、携帯電話機との組み合わせを考慮した大きさ及びデザインとなっている。
【００２９】
図２は、携帯電話機１０の電気系の構成例を概略的に示している。同図に示すように、携帯電話機１０は通信系と制御系とに大別される。通信系は、アンテナ１０１、送受信部１０６、音声信号処理部１０７、スピーカ１０４、マイク１０５を含んでいる。制御系は、ＬＣＤ表示器１０２、操作キーボード１０３、カメラ部１０８、制御部１０９、記憶部１１０、外部インタフェース１１１、外部接続コネクタ１１２を含んでいる。
【００３０】
送受信部１０６はアンテナ１０１で受信した高周波の受信信号を選択して復調し、復調信号を得る。また、内部の音声やデータの送信信号で高周波キャリア信号を変調してアンテナ１０１に送出する。音声信号処理部１０７は復調信号から音声信号を抽出してスピーカ１０４に出力し、データ信号を復調して制御部１０９に送る。また、音声信号処理部１０７はマイク１０５からの音声信号、制御部からの制御信号やデータ信号を信号処理して変調信号として送受信部１０６に送る。
【００３１】
制御部１０９は、各部からの信号を受け、各部に信号を送ることによって携帯電話機１０の動作を制御する。これには、カメラ部１０８の撮影機能も含まれる。カメラ部１０８で形成された画像データは、例えば、制御部１０９によって所定サイズのＪＰＧ形式にデータ圧縮され、記憶部１１０に格納される。また、制御部１０９はインタフェース１１１及び外部接続コネクタ１１２を介して外部回路と接続可能になされている。
【００３２】
記憶部１１０は制御プログラムを記憶するＲＯＭ、データ処理に必要なデータやプログラムを一時的に保存するＲＡＭを備えている。また、写真の画像データや電子メールデータなどを消去可能に保存する不揮発性メモリであるＥＥＰＲＯＭ（Ｅｌｅｃｔｒｉｃａｌｌｙ　Ｅｒａｓａｂｌｅ　Ｐｒｏｇｒａｍｍａｂｌｅ　ＲＯＭ）などを備えている。いわゆるフラッシュメモリはＥＥＰＲＯＭに含まれる。なお、上記ＲＯＭの役割をＥＥＰＲＯＭに担わせることができる。
【００３３】
図３は、外部補助記憶装置２０の第１の構成例を示している。同図に示すように、外部補助記憶装置２０は携帯電話機１０と接続するための外部接続コネクタ２０１、信号を変換処理するインタフェース２０２、外部補助記憶装置２０の動作を制御する制御部２０３、制御部２０３の制御プログラムを記憶したＲＯＭ２０４、データを消去可能に保存する不揮発性メモリであるＥＥＰＲＯＭ２０５を含んで構成される。制御プログラムには、携帯電話機にデータの出力を要求する命令信号を出力する指令発生手段としての制御プログラム、出力されたデータを受信する処理を行う受信手段としての制御プログラム等が含まれている。
【００３４】
次に、図４を参照して携帯電話機１０から外部補助記憶装置２０へのデータの移動について説明する。同図は携帯電話機１０及び外部補助記憶装置２０の各動作を時系列的に示している。
【００３５】
まず、
（１）　携帯電話機１０の利用者は携帯電話機１０のカメラ機能を使用して写真撮影を行う。
（２）　この撮影によって得られた画像データは記憶部１１０のＥＥＰＲＯＭに不揮発に記憶される。
【００３６】
（３）　利用者は、携帯電話機１０の下端に外部補助記憶装置２０を装着する。
（４）　外部補助記憶装置２０の外部接続コネクタ２０１が携帯電話機１０の外部接続コネクタ１１２に接続されると、インタフェース２０２を介して制御部２０３に接続を示す信号が送出される。この信号は、例えば、携帯電話機１０の外部接続コネクタ１１２側にその２つの端子間を接続する配線を設けることによって外部補助記憶装置２０の外部接続コネクタ２０１をコネクタ１１２に接続すると、コネクタ間の接続によって閉ループ回路が形成されるようにしても良い。また、スイッチによって補助記憶装置２０の装着を検出することが可能である。この信号によって制御部２０３（のＣＰＵ）が活性化する。
【００３７】
（５）　制御部２０３は、ＲＯＭ２０４から携帯電話機に画像データを出力させる一連の命令群を読み出し、これをインタフェース２０２でシリアル信号に変換して、外部接続コネクタ２０１から携帯電話機１０にコマンド信号として出力する。コマンド信号は、例えば、一連のキーボードスイッチ１０３の操作によって形成される携帯電話機１０への指令信号群を記録したいわゆるマクロ命令に相当するものであってもよい。
【００３８】
（６）　携帯電話機１０の制御部１０９は、インタフェース１１１を介して上記コマンド信号を受領するとこれを実行して記憶部１１０の画像記録領域から画像データの全部又は一部を読み出す。携帯電話機１０に写真に関するアプリケーションプログラムなどを内蔵させることによって予め読み出す画像データを利用者が指定しておくことが可能である。（７）　制御部１０９は、読み出した画像データをインタフェース１１１によってシリアル信号に変換し、外部接続コネクタ１１２を介して補助記憶装置２０に出力する。
【００３９】
（８）　補助記憶装置２０の制御部２０３はインタフェース２０２を介して並列データに変換された画像データを受信すると、
（９）　不揮発メモリであるＥＥＰＲＯＭ２０５に各画像ファイルを格納する。
【００４０】
（１０）　携帯電話機１０の利用者は、携帯電話機１０の画像データを補助記憶装置に複製したことによって携帯電話機１０の操作キー１０３を操作して記録している画像データを消去することができる。それにより、記憶部１１０の画像データ記憶領域を開放して新たな写真撮影を行って画像データを保存することができる。このようにして、携帯電話機から補助記憶装置２０に画像データを移動することが可能となる。
【００４１】
図５は、外部補助記憶装置２０の第２の構成例を示している。同図において図３と対応する部分には同一符号を付し、かかる部分の説明は省略する。
【００４２】
この構成例では、外部補助記憶装置２０をアダプタ部分２１（２０１〜２０７）と差替え可能な外部記憶媒体２０８とによって構成する。そして、外部記憶媒体２０８に保存された画像データの秘密性を確保するためにアダプタ２１側に暗号鍵を予め記録しておき、この暗号鍵を使用して暗号化／復号化手段としての制御部２０３の演算処理によって供給される画像データを暗号化して不揮発性記憶手段としての外部記憶媒体２０８に記憶する。それにより、画像データを記録（暗号化）したアダプタ２１によってのみ外部記憶媒体２０８に保存された画像データの復号化を可能とし、差替え自由な外部記憶媒体２０８を用いることによる保存データの秘密性を確保する。
【００４３】
このため、第２の構成例では図５に示すように、暗号鍵記憶手段としてのＲＯＭ２０４に暗号鍵が記録されている。この暗号鍵は各外部補助記憶装置２０で異なるようになされる。制御部２０３は、この暗号鍵を使用して携帯電話機１０から供給される画像データを暗号化し、インタフェース２０６によって必要な信号変換を行って外部接続コネクタ２０７に接続された外部記憶媒体２０８に暗号化データを保存する。なお、前述したようにＲＯＭ２０４には制御部２０３のＣＰＵを指令発生手段、受信手段、暗号化手段、復号化手段、出力手段等として機能させる制御プログラムが保存されている。
【００４４】
外部記憶媒体２０８としては、例えば、ＩＣメモリカード、ＳＤメモリカード、メモリスティック（商品名）等、各種のものが使用可能である。各種のものを使用可能とするためにインタフェース２０６によって信号変換を行っている。
【００４５】
次に、図６を参照して携帯電話機１０から暗号化機能を有する外部補助記憶装置２０へのデータの移動について説明する。同図においても携帯電話機１０及び外部補助記憶装置２０の各動作を時系列的に示している。
【００４６】
まず、
（１）　携帯電話機１０の利用者は携帯電話機１０のカメラ機能を使用して写真撮影を行う。
（２）　この撮影によって得られた画像データは記憶部１１０のＥＥＰＲＯＭに不揮発に記憶される。
【００４７】
（３）　利用者は、携帯電話機１０の下端に外部補助記憶装置２０を装着する。
（４）　外部補助記憶装置２０の外部接続コネクタ２０１が携帯電話機１０の外部接続コネクタ１１２に接続されると、インタフェース２０２を介して制御部２０３に接続を示す信号が送出される。この信号は、例えば、携帯電話機１０の外部接続コネクタ１１２側にその２つの端子間を接続する配線を設けることによって外部補助記憶装置２０の外部接続コネクタ２０１をコネクタ１１２に接続すると、コネクタ間の接続によって閉ループ回路が形成されるようにしても良い。また、スイッチによって補助記憶装置２０の装着を検出することが可能である。この信号によって制御部２０３（のＣＰＵ）が活性化する。
【００４８】
（５）　制御部２０３は、ＲＯＭ２０４から携帯電話機に画像データを出力させる一連の命令群を読み出し、これをインタフェース２０２でシリアル信号に変換して、外部接続コネクタ２０１から携帯電話機１０にコマンド信号として出力する。コマンド信号は、例えば、一連のキーボードスイッチ１０３の操作によって形成される携帯電話機１０への指令信号群を記録したいわゆるマクロ命令に相当するものであってもよい。
【００４９】
（６）　携帯電話機１０の制御部１０９は、インタフェース１１１を介して上記コマンド信号を受領するとこれを実行して記憶部１１０の画像記録領域から画像データを読み出す。
（７）　制御部１０９は、読み出した画像データをインタフェース１１１によってシリアル信号に変換し、外部接続コネクタ１１２を介して補助記憶装置２０に出力する。
【００５０】
（８）　補助記憶装置２０の制御部２０３は受信手段として働き、インタフェース２０２を介して並列データに変換された画像データを受信し、その内部メモリに一時的に記憶してデータ処理の対象とする。
（９）　制御部２０３は、暗号化手段として働き、ＲＯＭ２０４に予め記録されている暗号鍵（例えば、「Ａ」）によって内部メモリに記憶した画像データを暗号化する。暗号化方式は、例えば、暗号化と複合化に共通の「暗号鍵」を使用する方式のものを使用可能であるが、特定の暗号化方式に限定されるものではなく、適宜に選択することができる。（１０）　制御部２０３は暗号化した画像データ（あるいは画像ファイル）を不揮発メモリであるＥＥＰＲＯＭ２０５に格納する。
【００５１】
（１１）　携帯電話機１０の利用者は、携帯電話機１０の画像データを補助記憶装置２０に複製したことによって携帯電話機１０の操作キー１０３を操作して記録している画像データを消去することができる。それにより、携帯電話機１０の記憶部１１０の画像データ記憶領域を開放して新たな写真撮影を行って画像データを保存することができる。このようにして、携帯電話機から補助記憶装置２０に画像データを暗号化して保存することが可能となる。
【００５２】
このように、外部補助記憶装置２０のアダプタ２１に暗号化機能を持たせることによって差替え可能な外部記憶媒体２０８を紛失したとき、記録された内部データを書き込みを行ったアダプタ２１以外の他のアダプタやメモリカード等の読取り装置によって外部記憶媒体２０８のデータを読取る（復号化する）ことが困難となって個人データの秘密性を確保することが可能となる。
【００５３】
次に、携帯電話機で撮影した画像データを写真としてプリントする例について、図７乃至図９を参照して説明する。
【００５４】
図７は、床置きの自立型の印刷装置３０の例を示している。自立型の印刷装置は、例えば、ＤＰＥショップ、ゲームセンター、レンタルビデオ店、アミューズメント施設等に設置される。
【００５５】
図８は、卓上型の印刷装置３０の例を示している。卓上型の印刷装置は、例えば、ファミリーレストラン・カラオケボックス・インターネットカフェ等に設置される。
【００５６】
両図に示すように、印刷装置３０の筐体には、各種のスイッチからなる操作キーボード３０１、操作情報や印刷する画像を表示する表示器３０２、外部補助記憶装置２０の接続コネクタ３０３、硬貨投入口３０４、紙幣投入口３０５、貨幣返却口３０６、プリント写真の投出口３０７等が設けられている。接続コネクタ３０３は、コネクタタイプの異なる外部補助記憶装置２０のために複数種類用意されている。利用者は、画面あるいは音声による案内に従って必要な金額の貨幣を投入し、コネクタ３０３に自己の外部補助記憶装置２０を装着する。操作キー３０１を操作して画像データを印刷装置に読み込ませ、所望の写真画像を選択し、プリントアウトさせる。
【００５７】
図９は、印刷装置３０の制御系を説明する説明図である。同図において、印刷装置３０は、操作キー入力手段３０１、画面表示装置３０２、外部補助記憶装置２０との接続を行う外部接続コネクタ３０３、信号を変換するインタフェース３１０、読み込まれた画像データが一時的に保存される揮発性ＲＡＭ（例えば、ＤＲＡＭ）３１１、制御プログラムなどが保存される不揮発性メモリであるＲＯＭ３１２、後述するように、写真印刷の際に写真フレームに額縁、吹き出し、キャラクタなどの修飾用の画像を追加するための修飾データを保存するデータ保持手段３１３、制御プログラムに従って装置全体の制御を行うＣＰＵ３１４、写真画像の編集や額縁合成などの処理を行う編集手段３１５、例えば、カラーインクジェット式プリンタによって光沢紙に写真画質で印刷を行う写真印刷装置３１６を含む。
【００５８】
ＣＰＵ３１４はコンテンツの販売制御プログラム等を実行する。ＲＯＭ３１２は装置を写真印刷物販売装置として機能させるプログラムを記録する。ＲＡＭ３１１は読み込んだ画像データを一時的に保持してデータ処理に使用される。データ保持手段３１３は著作物などの複数の表現物を電子化データとして予め記憶する。例えば、ハードディスク装置であり、これ等手段を１つ又は複数の装置で構成することが可能である。なお、読み込んだ画像データはハードディスク装置には記憶せず、ＲＡＭ３１１に記憶する。それにより、個人データが装置内に残留することを防止する。
【００５９】
画面表示器３０２は、例えば、ＣＲＴあるいはＬＣＤディスプレイであり、画像データをポジ写真フィルムのように一覧表示可能である。また、操作手順が画面から案内される。操作キー入力手段３０１は、例えば、キーボードスイッチやタッチパネルであり、利用者がプリントアウトを希望する画像を選択したり、プリント枚数等を決定する。編集手段１７は利用者の選択した額縁、吹き出しやキャラクタなどの表現物の電子化データを上記データ保持手段１４から読み取り、これを利用する出力媒体の形態に適合するように編集する。
【００６０】
写真印刷の出力媒体は、上述した光沢紙の他、例えば、剥離シール、プリクラ用シール、紙カード、プラスチック（ＰＥＴを含む）カード、ＩＣカード、ＣＤ−ＲＯＭ、ＤＶＤ−ＲＯＭ等、種々の種類や材質のものを含む。また、カードの一部をＣＤ−ＲＯＭやＤＶＤ−ＲＯＭとした複合的な機能を有するものをも含む。
【００６１】
編集手段１７は、これ等出力媒体の形状に適合するように、画像データを編集する。また、複数の表現物が選択されたときに、それ等表現物相互間の配置、領域変更、輪郭修正、形状調整、等を行うことが可能である。また、特に図示していないが、データを記録可能な媒体が選択されているときには、例えば、選択された複数の曲を指定された順番で記録する。また、ジャケット印刷や曲の記録の組み合わせを行う。編集手段３１５の実体は、ＣＰＵ３１４によって実行される編集プログラムであるが、専用の演算処理装置を備える編集機能を実現することとしても良い。
【００６２】
なお、上記データ保持手段１４に電子化データとして格納される表現物は、テレビキャラクタ、アニメキャラクタ、演技者、歌手の写真、風景画像等種々の表現物の内容をデジタル信号として処理可能な表現物であれば良い。この表現物と自己の撮影した写真（画像データ）との合成を利用者は楽しむことが可能である。データ保持手段１４には、ネットワークを介してコンテンツを供給することが可能である。
【００６３】
図１０は、図３に示した第１のタイプの外部補助記憶装置２０を上述した印刷装置３０に装着して保存画像データを印刷する例を説明する説明図である。
【００６４】
まず、
（１）　利用者は印刷装置３０のコネクタ３０３に携帯電話機から画像データを取り込んだ外部補助記憶装置２０を接続する。
（２）　印刷装置３０の制御部（ＣＰＵ）３１４はこれを検出すると、
（３）　外部補助記憶装置２０側に画像データを出力させるコマンドを送出する。
【００６５】
（４）　外部補助記憶装置２０の制御部２０３はこのコマンドを受け取ると、
（５）　ＥＥＰＲＯＭ２０５から画像データを読み出して印刷装置３０側に出力する。
【００６６】
（６）　印刷装置３０の制御部３１４はこの画像データを受け取ると、
（７）　揮発性メモリのＲＡＭ３１１に記憶する。
（８）　このＲＡＭ３１１を使用して必要により上述した画像編集を行う。上述したように、画像編集は操作キーによって編集モードが指示され、例えば、組み合わせの対象となる表現物を操作キーによって選択し、自己の画像データとの合成（組み合わせ）や、データの部分的な削除などを指示することによって行うことができる。また、出力印刷の対象物に適合するように編集が行われるようにすることができる。特に、編集の指示を行わなければ、一般的なＤＰＥ写真と同様の写真印刷が選択される。
【００６７】
（９）　編集された画像データ、あるいは編集しない画像データが印刷装置に送られ、例えば、カラーインクジェット式のプリンタによっていわゆる写真画質の印刷が行われる。
【００６８】
（１０）　印刷が終了すると、印刷装置のＲＡＭ３１１の内容はリセットされる。それにより、利用者の画像データは印刷装置３０に残ることなく消滅する。それにより、利用者が画像データをプリントする際の個人情報の流出が回避可能となる。
【００６９】
上述した印刷処理においては、ハードディスクなどのデータが物理的に固定される磁気記憶装置、光磁気記憶装置等の不揮発の記憶装置に利用者の画像データを保存しない。これらの記憶装置では、メモリの管理テーブル上ではデータが消去されているが、物理的には記録媒体に磁気信号が残っている場合がある。
【００７０】
図１１は、図５に示した第２の（暗号化）タイプの外部補助記憶装置２０を上述した印刷装置３０に装着して保存画像データを印刷する例を説明する説明図である。
【００７１】
まず、
（１）　利用者は印刷装置３０のコネクタ３０３に携帯電話機から画像データを取り込んだ外部補助記憶装置２０を接続する。この補助記憶装置には暗号鍵Ａが格納されている。
（２）　印刷装置３０の制御部（ＣＰＵ）３１４は外部補助記憶装置２０の接続を検出すると、
（３）　外部補助記憶装置２０側に画像データを出力させるコマンドを送出する。
【００７２】
（４）　外部補助記憶装置２０の受信手段としての制御部２０３はこのコマンドを受け取ると、
（５）　外部記憶媒体２０８から暗号化データを読み出して復号化手段としての復号化プログラムを起動し、暗号鍵Ａを使用して復号化する。
（６）　更に、制御部２０３は出力手段として機能してこの復号化した画像データを印刷装置３０側に出力する。
【００７３】
（７）　印刷装置３０の制御部３１４はこの画像データを受け取ると、
（８）　揮発性メモリのＲＡＭ３１１に記憶する。
（９）　このＲＡＭ３１１を使用して必要により上述した画像編集を行う。上述したように、画像編集は操作キーによって編集モードが指示され、例えば、組み合わせの対象となる表現物を操作キーによって選択し、自己の画像データとの合成（組み合わせ）や、データの部分的な削除などを指示することによって行うことができる。また、出力印刷の対象物に適合するように編集が行われるようにすることができる。特に、編集の指示を行わなければ、一般的なＤＰＥ写真と同様の写真印刷が選択される。
【００７４】
（１０）　編集された画像データ、あるいは編集しない画像データが印刷装置に送られ、例えば、カラーインクジェット式のプリンタによっていわゆる写真画質の印刷が行われる。
【００７５】
（１１）　印刷が終了すると、ＲＡＭ３１１の内容はリセットされる。それにより、利用者の画像データは印刷装置に残ることなく消滅する。
【００７６】
図１２は、外部記憶媒体２０８に画像データを保存したアダプタ（暗号鍵Ａ）とこれを読み出すアダプタ（暗号鍵Ｂ）が異なる場合を説明する説明図である。
【００７７】
まず、
（１）　利用者は印刷装置３０のコネクタ３０３に携帯電話機から画像データを取り込んだ外部補助記憶装置２０を接続する。ただし、この補助記憶装置２０には暗号鍵「Ｂ」が格納されているが、この補助記憶装置２１の外部記憶媒体に記憶されている画像データは暗号鍵「Ａ」によって暗号化されたものである。
（２）　印刷装置３０の制御部（ＣＰＵ）３１４はこの装着を検出すると、
（３）　外部補助記憶装置２０側に画像データを出力させるコマンドを送出する。
【００７８】
（４）　外部補助記憶装置２０の制御部２０３はこのコマンドを受け取ると、
（５）　外部記憶媒体２０８から暗号化データを読み出して暗号鍵「Ｂ」を使用して復号化する。
（６）　暗号化と複合化の「鍵」が異なる結果、画像データの復号化に失敗する。
（７）　制御部２０３はエラー出力を印刷装置３０側に出力する。
【００７９】
（８）　印刷装置３０の制御部３１４はこのエラー出力を受け取ると、
（９）　印刷装置の表示器３０２に出力して読み出しできないことを利用者に知らせる。従って、利用者がアダプタ２１を持っている限り、他の者は外部記憶媒体の中身を読み出すことはできず、個人データの秘密が守られる。また、利用者は外部記憶媒体を複数所有し、これを差替えることによって画像の保存データを増やすことができる。アダプタ２１の外部コネクタを種々用意することで既存の記憶媒体の活用が容易である。
【００８０】
なお、上述した実施例では携帯電話の画像データの例によって説明したが携帯型通信装置のデータ保存用としても外部補助記憶媒体を使用することができる。
【００８１】
以上説明したように、本発明の実施例の外部補助記憶媒体によれば、携帯型通信機器（例えば、携帯電話機）に保存してある画像データ（ダウンロードした待ち受け画像や、ケイタイデジカメで撮影した画像）等を外部補助記憶装置に保存することができる。この外部補助記憶装置は、好ましくは、ガム電池状やスティック状のコンパクトな形状である。
【００８２】
また、本発明の実施例の印刷装置によれば、外部補助記憶装置に保存したデータを専用端末（自立型・卓上型）で印画紙やシール／プリペイドカード／ポストカード等の各種の出力媒体にプリントすることができる。
【００８３】
また、本発明の実施例によれば、外部補助記憶装置内のデータを印刷用装置内に読み込む際、読み込んだデータは印刷装置内の一時記憶領域（ＲＡＭ）上にのみ展開し、ハードディスクなどの固定媒体には保持しない。このため、データは印刷完了までの間のみ印刷用装置に存在するが、読み込んだ全てのデータは印刷完了時に読み出し不能（論理的アドレス消去）となるだけで
なく、物理的にも破棄される。
【００８４】
また、本発明の実施例によれば、外部補助記憶装置内のデータを印刷用装置にあらかじめ格納されているデータとの合成し編集することを可能とする。このときの編集対象のデータは全て印刷装置内の一時記憶領域（ＲＡＭ）上で編集される。編集されたデータは、印刷完了時に破棄される。従って、個人のデータの秘密が確保される。
【００８５】
また、外部補助記憶装置は、記憶領域を内蔵するものと、記憶領域を外部記憶媒体に割り当てて利用することができる。
【００８６】
また、本発明の実施例によれば、外部記憶媒体を記憶領域として利用する場合、市販の記憶媒体（ＳＤメモリ、メモリースティック、ＩＣカードなど）を外部補助記憶装置に装着し、外部補助記憶装置の記憶領域として利用することを可能とする。このとき、記憶媒体に記憶されるデータは、暗号化されて格納される。暗号化は、外部補助記憶装置（アダプタ）で行う。暗号化における暗号鍵は外部補助記憶装置に格納する。従って、外部補助記憶装置を介して記憶媒体に格納されたデータは、外部補助記憶装置を介さずにデータを読み出すと暗号化されたデータが取り出される。また、外部補助記憶装置を介してデータを読み出す場合、記憶媒体に格納された暗号化データは、外部補助記憶装置に関連した復号化処理を実施した結果が取り出される。従って、データ格納時に利用した外部補助記憶装置とデータ読み出し時に利用する外部補助記憶装置が異なる場合、データの復号化を正しく行うことができず、データの読み出しは失敗する。それにより、差し替えされる記憶媒体からのデータ流出を回避している。
【００８７】
なお、暗号化方式は暗号化と復号化とで同じ秘密鍵を使用する共通鍵暗号方式の他、暗号化と復号化とで異なる秘密鍵を使用する非対称鍵暗号方式を使用することが可能である。こうした場合には、暗号化用のアダプタ（外部補助記憶装置）と、復号化用のアダプタとを別々に使用することとしても良い。
【００８８】
【発明の効果】
以上説明したように、本発明の外部補助記憶装置によれば、携帯型装置に簡単に取り付けて記憶データを取り込むことのできる補助記憶装置を得ることが可能となる。例えば、カメラ付き携帯型電話機の画像データを外部に保存することができて具合がよい。また、携帯型電話機の画像データの秘密性を保って外部に保存することが可能となって具合がよい。
【図面の簡単な説明】
【図１】図１は、本発明の外部補助記憶装置の使用状態を説明する説明図である。
【図２】図２は、携帯電話機の制御系を説明するブロック図である。
【図３】図３は、外部補助記憶装置の制御系を説明するブロック図である。
【図４】図４は、外部補助記憶装置の動作例を説明するタイムチャートである。
【図５】図５は、他の外部補助記憶装置の制御系を説明するブロック図である。
【図６】図６は、他の外部補助記憶装置の動作例を説明するタイムチャートである。
【図７】図７は、印刷装置の例（自立型）を説明する斜視図である。
【図８】図８は、印刷装置の他の例（卓上型）を説明する斜視図である。
【図９】図９は、印刷装置の制御系を説明するブロック図である。
【図１０】図１０は、外部補助記憶装置に記憶された画像データを印刷する例を説明するタイムチャートである。
【図１１】図１１は、他の外部補助記憶装置に記憶された画像データを印刷する例を説明するタイムチャートである。
【図１２】図１２は、他の外部補助記憶装置に記憶された画像データを印刷する例（使用アダプタが異なる場合）を説明するタイムチャートである。
【符号の説明】
１０　携帯電話機
２０　外部補助記憶装置
２１　アダプタ
２０８　外部記憶媒体
３０　印刷装置
【図１】
2004127183.tif 000003
【図２】
2004127183.tif 000004
【図３】
2004127183.tif 000005
【図４】
2004127183.tif 000006
【図５】
2004127183.tif 000007
【図６】
2004127183.tif 000008
【図７】
2004127183.tif 000009
【図８】
2004127183.tif 000010
【図９】
2004127183.tif 000011
【図１０】
2004127183.tif 000012
【図１１】
2004127183.tif 000013
【図１２】
2004127183.tif 000014